(57)【要約】【課題】収納スロットに対し収納カセットを横方向に装填する場合の作業性を向上させ得るようにする。【解決手段】紙幣出金機１の紙幣収納スロット８は、スロット左側板後端部４１Ｅよりもスロット右側板後端部４２Ｅを前側に位置させ、且つスロット下側板４４の後端に該スロット右側板後端部４２Ｅよりも後方へ突出した後突出部４４Ｐを形成した。これにより装填機構９では、作業員等に対し、紙幣収納カセット１１の前端部分をスロット下内側面４４Ｓよりも持ち上げさせ、左右方向に位置を調整させること無く前方向へ移動させるだけでスロット下側板４４の後突出部４４Ｐに載せることができる。さらに装填機構９では、作業員等に対し、スロット左側板４１に当接するまで左方向へ移動させるだけで、左右方向の位置を装填空間８Ｓに合わせることができるため、装填作業を容易に行わせることができる。【選択図】図６
2017187997.tif 000002
【特許請求の範囲】
【請求項１】
紙葉状の媒体が収納される収納カセットと、前記収納カセットが装填される装填空間が内部に形成された収納スロットとを有する装填機構であって、
前記収納スロットは、
前記装填空間の上面である上側面を規定する上側部と、
前記装填空間の下面である下側面を規定する下側部と、
前記装填空間の横側面であって前記収納カセットが前記装填空間に装填される方向である装填方向に沿った第１横側面を規定する第１横側部と、
前記装填空間の横側面であって前記第１横側面と対向する第２横側面を規定し、装填方向の反対である取出方向側の端部である取出側端部が、前記第１横側部の取出側端部よりも装填方向側に位置する第２横側部と
を具え、
前記下側部は、取出側端部の少なくとも一部が、前記第２横側部の取出側端部よりも取出方向側に位置している
ことを特徴とする装填機構。
【請求項２】
前記下側部の取出側端部は、前記上側部の取出側端部と形状が相違する
ことを特徴とする請求項１に記載の装填機構。
【請求項３】
前記下側部の取出側端部は、最も取出方向へ突出した箇所の該取出方向に関する位置が、前記上側部の取出側端部において最も取出方向へ突出した箇所の該取出方向に関する位置と相違する
ことを特徴とする請求項２に記載の装填機構。
【請求項４】
前記下側部の取出側端部は、装填方向及び取出方向と直交する幅方向に対し傾斜された傾斜辺を形成する
ことを特徴とする請求項１に記載の装填機構。
【請求項５】
前記第２横側部は、取出側端部の取出方向側であって、且つ前記第２横側面よりも前記第１横側面から離れた箇所に、前記収納カセットを前記装填空間へ案内する案内部を具える
ことを特徴とする請求項１に記載の装填機構。
【請求項６】
前記収納カセットにおける前記第１横側面と対向するカセット第１横側面における、取出方向側の端部近傍に設けられた第１被係合部と、
前記カセット第１横側面における装填方向側の端部近傍に設けられた第２被係合部と、
前記第１横側部における取出側端部の近傍に設けられ、前記収納カセットが前記装填空間に装填された場合に前記第１被係合部と係合し、前記収納カセットが前記装填空間から取り出される前に前記第２被係合部と係合する係合部と
をさらに具えることを特徴とする請求項１に記載の装填機構。
【請求項７】
前記係合部は、前記収納カセットが前記装填空間から取り出される前であって、且つ該収納カセットにおける装填方向側の端部が前記第２横側部の取出側端部よりも取出方向側に位置した状態で、前記第２被係合部と係合する
ことを特徴とする請求項６に記載の装填機構。
【請求項８】
紙葉状の媒体が収納される収納カセットと、
前記収納カセットから繰り出された前記媒体を搬送する搬送部と、
前記媒体を集積して媒体束とする集積部と、
前記媒体束を搬送して所定の引渡部から利用者に引き渡す束搬送部と、
前記収納カセットが装填される装填空間が内部に形成された収納スロットと
を具え、
前記収納スロットは、
前記装填空間の上面を規定する上側部と、
前記装填空間の下面を規定する下側部と、
前記装填空間の横側面であって前記収納カセットが前記装填空間に装填される方向である装填方向に沿った第１横側面を規定する第１横側部と、
前記装填空間の横側面であって前記第１横側面と対向する第２横側面を規定し、装填方向の反対である取出方向側の端部である取出側端部が、前記第１横側部の取出側端部よりも装填方向側に位置する第２横側部と
を具え、
前記下側部は、取出側端部の少なくとも一部が、前記第２横側部の取出側端部よりも取出方向側に位置している
ことを特徴とする媒体処理装置。
【発明の詳細な説明】
【技術分野】
【０００１】
本発明は装填機構及び媒体処理装置に関し、例えば媒体としての紙幣を出金する紙幣出金機に適用して好適なものである。
【背景技術】
【０００２】
従来、金融機関等で使用される紙幣出金機おいては、利用者（例えば金融機関の顧客）からの要求に応じて紙幣を出金するものが広く普及している。紙幣出金機としては、例えば紙幣を収納する紙幣収納庫と、紙幣を搬送する搬送部と、紙幣を鑑別する鑑別部と、出金可能な紙幣を集積し紙幣束とする集積部と、出金すべきで無いリジェクト紙幣を収納するリジェクト収納庫と、紙幣束を搬送する束搬送部と、利用者に紙幣束を引き渡す出金口とを有するものがある。
【０００３】
このうち紙幣収納庫としては、紙幣出金機の筐体に設けられた収納スロットに対し着脱可能な収納カセットとして構成されたものがある。また紙幣出金機としては、例えば複数の収納スロットを上下方向に沿って並べて配置すると共に所定の一方向側、例えば後側を開放させ、各収納カセットをこの後側から前方向へ進行させるようにして収納スロットに装填し、また該収納カセットを後方向へ移動させるようにして該収納スロットから取り外させるものが提案されている（例えば、特許文献１参照）。
【先行技術文献】
【特許文献】
【０００４】
【特許文献１】特開２００３−０４４８９８号公報（図３、図５）
【発明の概要】
【発明が解決しようとする課題】
【０００５】
しかしながら、かかる構成の紙幣出金機では、作業員等が収納スロットに収納カセットを装填する場合、該収納スロットの後側において、収納カセットの全重量を支えたまま該スロットに装填させ得る位置に合わせる位置合わせ作業を行わせてから、該収納カセットを前方向へ進行させる必要がある。
【０００６】
この位置合わせ作業では、後方向から見て、収納スロット内に形成された装填空間における上下方向及び左右方向の範囲内に収納カセットの先端側を収めた状態とし、さらにこの状態を維持したまま該収納カセットを前方向へ進行させることになる。
【０００７】
しかしながら収納カセットは、収納する紙幣を確実に保護するべく各部が強固に構成されており、その内部に例えば数千枚のように大量の紙幣が収納される場合があり、また紙幣を繰り出すためのローラやギア、さらにはモータ等が組み込まれる場合がある。このため収納カセットは、例えば２０〜３０［ｋｇ］のように、比較的大きな重量となることがある。
【０００８】
このため紙幣出金機では、作業員等に収納カセットを収納スロットに装填させる場合に、該作業員等にとって位置合わせ作業が極めて困難なものとなり、作業性が悪い、という問題があった。
【０００９】
本発明は以上の点を考慮してなされたもので、収納スロットに対し収納カセットを横方向に装填する場合の作業性を向上させ得る装填機構及び媒体処理装置を提案しようとするものである。
【課題を解決するための手段】
【００１０】
かかる課題を解決するため本発明の装填機構においては、紙葉状の媒体が収納される収納カセットと、収納カセットが装填される装填空間が内部に形成された収納スロットとを有する装填機構であって、収納スロットには、装填空間の上面を規定する上側部と、装填空間の下面を規定する下側部と、装填空間の横側面であって収納カセットが装填空間に装填される方向である装填方向に沿った第１横側面を規定する第１横側部と、装填空間の横側面であって第１横側面と対向する第２横側面を規定し、装填方向の反対である取出方向側の端部である取出側端部が、第１横側部の取出側端部よりも装填方向側に位置する第２横側部とを設け、下側部は、取出側端部の少なくとも一部が、第２横側部の取出側端部よりも取出方向側に位置しているようにした。
【００１１】
また本発明の媒体処理装置においては、紙葉状の媒体が収納される収納カセットと、収納カセットから繰り出された媒体を搬送する搬送部と、媒体を集積して媒体束とする集積部と、媒体束を搬送して所定の引渡部から利用者に引き渡す束搬送部と、収納カセットが装填される装填空間が内部に形成された収納スロットとを設け、収納スロットには、装填空間の上面を規定する上側部と、装填空間の下面を規定する下側部と、装填空間の横側面であって収納カセットが装填空間に装填される方向である装填方向に沿った第１横側面を規定する第１横側部と、装填空間の横側面であって第１横側面と対向する第２横側面を規定し、装填方向の反対である取出方向側の端部である取出側端部が、第１横側部の取出側端部よりも装填方向側に位置する第２横側部とを設け、下側部は、取出側端部の少なくとも一部が、第２横側部の取出側端部よりも取出方向側に位置しているようにした。
【００１２】
本発明は、収納スロットに収納カセットを装填する場合に、該収納スロットの取出方向側において、収納カセットの装填方向側且つ第１横側部側に位置する装填方向側第１横下端部を、上側面及び下側面の間であり且つ第１横側面及び第２横側面に位置させることにより、該装填方向側第１横下端部を下側部の上側に載せることができる。また本発明は、これに続いて収納カセットを第１横側面へ向けて移動させ当接させるだけで、該収納カセットを第１横側面及び第２横側面の間に位置させることができる。これにより本発明は、作業員等に収納カセットの全荷重を支持したまま、装填方向と直交する方向に関する位置を微調整させる、といった困難な作業を行わせる必要が無い。
【発明の効果】
【００１３】
本発明によれば、収納スロットに対し収納カセットを横方向に装填する場合の作業性を向上させ得る装填機構及び媒体処理装置を実現できる。
【図面の簡単な説明】
【００１４】
【図１】紙幣出金機の構成を示す略線的斜視図である。
【図２】紙幣出金機の構成を示す略線図である。
【図３】第１の実施の形態による装填機構の構成を示す略線図である。
【図４】第１の実施の形態による紙幣収納カセットの装填動作を示す略線図である。
【図５】第１の実施の形態による紙幣収納カセットの装填動作を示す略線図である。
【図６】第１の実施の形態による紙幣収納カセットの装填動作を示す略線図である。
【図７】第１の実施の形態による紙幣収納カセットの装填動作を示す略線図である。
【図８】第１の実施の形態による紙幣収納カセットの装填動作を示す略線図である。
【図９】比較用の装填機構の構成を示す略線図である。
【図１０】第２の実施の形態による紙幣出金機の構成を示す略線図である。
【図１１】第２の実施の形態における紙幣収納カセットの装填動作を示す略線図である。
【図１２】第３の実施の形態による装填機構の構成を示す略線図である。
【図１３】第３の実施の形態による紙幣収納カセットの取出動作を示す略線図である。
【図１４】他の実施の形態による紙幣収納スロットの構成を示す略線図である。
【図１５】他の実施の形態による紙幣収納カセットの装填動作を示す略線図である。
【発明を実施するための形態】
【００１５】
以下、発明を実施するための形態（以下実施の形態とする）について、図面を用いて説明する。
【００１６】
［１．第１の実施の形態］
［１−１．紙幣出金機の構成］
図１（Ａ）に模式的な斜視図を示すと共に図２に模式的な側面図を示すように、媒体処理装置としての紙幣出金機１は、いわゆるキャッシュディスペンサとなっており、例えば金融機関や各種商業施設等に設置され、利用者（すなわち金融機関や商業施設の顧客等）の操作に応じて紙幣を出金するようになっている。この紙幣出金機１は、大きく分けて下側の収納ユニット２及び上側の束搬送ユニット３により構成されており、さらに全体を制御する制御部４が組み込まれている。
【００１７】
制御部４は、図示しないＣＰＵ（Central Processing Unit）を中心に構成されており、図示しないＲＯＭ（Read Only Memory）やフラッシュメモリ等から所定のプログラムを読み出して実行することにより、出金処理等の処理を行う。また制御部４は、内部にＲＡＭ（Random Access Memory）、ハードディスクドライブやフラッシュメモリ等でなる記憶部を有しており、この記憶部に種々の情報を記憶させる。
【００１８】
以下では、紙幣出金機１のうち顧客が対峙する側を前側とし、その反対を後側とし、当該前側に対峙した顧客から見て左及び右をそれぞれ左側及び右側とし、さらに上側及び下側を定義して説明する。
【００１９】
収納ユニット２は、直方体状に構成された収納筐体６内に、紙幣に関する種々の処理を行う複数の部分が組み込まれている。この収納筐体６内には、４個の紙幣収納カセット１１、搬送部１３、鑑別部１４、切替部１５及び集積部１６、並びにリジェクトカセット１７が設けられている。
【００２０】
図１（Ｂ）に示すように、収納筐体６には、後側が開放された５箇所のスロットが上下方向に沿って整列するように形成されている。最上段のリジェクトスロット７には、リジェクトカセット１７（図１（Ａ）及び図２）が装填される。また上から２段目ないし最下段に位置する４箇所の紙幣収納スロット８Ａ、８Ｂ、８Ｃ及び８Ｄ（以下これらをまとめて紙幣収納スロット８と呼ぶ）には、それぞれ紙幣収納カセット１１が装填される。説明の都合上、以下では、紙幣収納スロット８及び紙幣収納カセット１１を組み合わせて装填機構９とも呼ぶ。
【００２１】
紙幣収納カセット１１は、図１（Ｂ）に示すように、全体として前後方向に長く上下方向にやや短い直方体状に構成されており、その内部に媒体としての紙幣を多数収納する。この紙幣収納カセット１１は、紙幣収納スロット８に対し、後側から前方向へ進行されることにより装填され、また該紙幣収納スロット８に装填された状態から後方向へ引き出されることにより該紙幣収納スロット８から取り出される。
【００２２】
説明の都合上、以下では、紙幣収納カセット１１が装填される場合の進行方向である前方向を装填方向とも呼び、取り出される場合の進行方向である後方向を取出方向とも呼び、この装填方向及び取出方向と直交する左右方向を幅方向とも呼ぶ。また以下では、紙幣収納カセット１１の左側面、右側面、上側面、下側面及び前側面を、それぞれカセット左側面１１ＳＬ、カセット右側面１１ＳＲ、カセット上側面１１ＳＴ、カセット下側面１１ＳＢ及びカセット前側面１１ＳＦと呼ぶ。
【００２３】
また紙幣収納カセット１１の後面には、取手１１Ｈが設けられており、紙幣収納スロット８に装填される場合や取り出される場合、或いは取り出された後等に、作業員等により把持される。因みにこの取手１１Ｈは、紙幣収納カセット１１の後面に対する取付部分において、左右方向に沿った回動軸を中心に回動し得るように構成されており、非使用時に紙幣収納カセット１１の後面に沿うように倒され、使用時に該後面から起こされた状態となる。
【００２４】
この紙幣収納カセット１１の内部には、各紙幣が長辺を左右方向に沿わせると共に短辺を上下方向に沿わせ、紙面を前後に向けた姿勢で、前後方向に沿って集積された状態で収納されている。この紙幣収納カセット１１は、外周を構成する各部分が強固に構成されると共に、開閉可能な扉が施錠されており、内部に収納された紙幣を不正な手段による抜き取り等から保護するようになっている。
【００２５】
また紙幣収納カセット１１（図２）の内部における後端近傍には、分離機構１２が組み込まれている。分離機構１２は、複数のローラや該ローラに駆動力を伝達するギア等により構成されており、制御部４の制御に基づき、紙幣収納カセット１１の内部に収納されている紙幣を１枚ずつに分離して後方の搬送部１３に順次引き渡すようになっている。因みに各紙幣収納カセット１１は、それぞれ予め定められた金種の紙幣が収納されている。
【００２６】
搬送部１３は、図示しないローラやベルト、或いはこれらを駆動するモータ等により、紙幣を搬送する経路である搬送路を構成している。鑑別部１４は、内部に所定のセンサが組み込まれており、このセンサから得られた情報を基に、搬送される紙幣の走行状態等を鑑別し、その鑑別結果を制御部４へ供給する。制御部４は、得られた鑑別結果を基に、各紙幣の搬送先を決定する。すなわち鑑別部１４は、各紙幣について、所定の出金可能条件を満たすか否かを鑑別することになる。
【００２７】
切替部１５は、制御部４の制御に基づき、紙幣に当接して進行方向を変化させるブレード（図中三角形で示す）の傾斜角度を変更することにより、紙幣の搬送経路を切り替える。集積部１６は、切替部１５の前側に配置されており、該切替部１５から搬送されてきた紙幣を集積空間１６Ｓ内へ放出し、ステージ１６Ｔ上に束状に集積させていく。このため以下では、このように積み重ねられた紙幣を紙幣束Ｗとも呼ぶ。
【００２８】
集積部１６の上側には、集積空間１６Ｓに相当する範囲に渡り、上下方向に貫通する集積孔１６Ｈが穿設されている。集積部１６は、ステージ１６Ｔに紙幣を集積した状態で当該ステージ１６Ｔを上方へ移動させることにより、当該ステージ１６Ｔ及び集積した束状の紙幣（紙幣束Ｗ）を収納筐体６の上面よりも上側、すなわち束搬送ユニット３の内部まで持ち上げることができる。
【００２９】
リジェクトカセット１７は、切替部１５の後側に配置されており、該切替部１５から搬送されてくる紙幣、すなわち制御部４により出金不可能と判断された紙幣（以下これをリジェクト紙幣とも呼ぶ）や、上方に位置する束搬送ユニット３から上面の取込孔１７Ｈを介して落下してくる紙幣束Ｗを取り込んで収納する。
【００３０】
束搬送ユニット３は、全体として、上下方向に短く前後方向に長い、扁平な直方体状に形成されており、その前後方向の長さが収納ユニット２よりも長くなっている。束搬送ユニット３は、直方体状の束搬送筐体２０内に組み込まれた種々の部材により、媒体束としての紙幣束Ｗを搬送するときに当該紙幣束Ｗを搬送する束搬送部２１を形成している。また束搬送筐体２０の前端、すなわち束搬送部２１の前端には、紙幣束Ｗを利用者に引き渡す引渡部としての出金口２２が形成されている。
【００３１】
次に、紙幣出金機１における出金動作及び取込動作について説明する。紙幣出金機１は、出金動作を行う場合、図示しない操作部を介して利用者から出金の指示及び出金額を受け付ける。これに応じて各紙幣収納カセット１１は、この出金額に応じた金種及び枚数の紙幣を１枚ずつ繰り出し、搬送部１３に引き渡す。搬送部１３は、各紙幣を上方へ搬送し、鑑別部１４により鑑別させ、得られた鑑別結果を制御部４に供給させる。
【００３２】
制御部４において鑑別結果を基に正常と判断された紙幣は、切替部１５により集積部１６へ搬送され、ステージ１６Ｔ上に集積される。また制御部４において出金すべきでないと判断されたリジェクト紙幣は、切替部１５によりリジェクトカセット１７へ搬送され、その内部に収納される。
【００３３】
続いて紙幣出金機１は、出金額に相当する金種及び枚数の紙幣、すなわち紙幣束Ｗをステージ１６Ｔ上に集積すると、当該ステージ１６Ｔを上昇させ、当該紙幣束Ｗを束搬送部２１内へ持ち上げる。続いて紙幣出金機１は、紙幣束Ｗを束搬送部２１により前方へ進行させ、出金口２２まで搬送する。紙幣出金機１は、この段階で出金動作を終了し、利用者に紙幣束Ｗを受け取らせる。
【００３４】
ここで、所定の待機時間以内に出金口２２から紙幣束Ｗが受け取られなかった場合、紙幣出金機１は、利用者が紙幣束Ｗを取り忘れたと判断し、取込動作を開始する。具体的に紙幣出金機１は、束搬送ユニット３の束搬送部２１により紙幣束Ｗを後方へ進行させ、やがて該紙幣束Ｗが取込孔１７Ｈの上側に到達すると、これを該取込孔１７Ｈから落下させ、リジェクトカセット１７内に収納させる。
【００３５】
［１−２．収納筐体及び紙幣収納スロットの構成］
次に、収納筐体６及び紙幣収納スロット８の構成について説明する。収納筐体６（図１（Ｂ））は、左側に配置された筐体左側板３１、右側に配置された筐体右側板３２、上側に配置された筐体上側板３３、下側に配置された筐体下側板３４、並びに前側に配置された筐体前側板３５といった複数の板状部材により、後側が開放された直方体状の筐体内部空間を形成している。このうち筐体右側板３２は、前後方向の長さが筐体左側板３１よりも短くなっている（詳しくは後述する）。
【００３６】
さらに収納筐体６は、この筐体内部空間における上下方向に離れた４箇所に４枚の筐体仕切板３６を配置することにより、１個のリジェクトスロット７及び４個の紙幣収納スロット８（８Ａ、８Ｂ、８Ｃ及び８Ｄ）に仕切っている。これにより収納筐体６では、何れも後側を開放させたリジェクトスロット７及び４個の紙幣収納スロット８が、上下方向に沿って互いに隣接した位置に配置されている。
【００３７】
続いて、紙幣収納スロット８の構成について、最も上側に位置する紙幣収納スロット８Ａを例として説明する。図３（Ａ）及び（Ｂ）に模式的な平面図及び右側面図を示すように、紙幣収納スロット８は、スロット左側板４１、スロット右側板４２、スロット上側板４３、スロット下側板４４及びスロット前側板４５により装填空間８Ｓの上側、下側、左側、右側及び前側をそれぞれ規定しており、後側が開放されている。因みに図３（Ａ）は、作図の都合上、スロット上側板４３を省略した状態を表している。
【００３８】
第１横側部としてのスロット左側板４１は、左右方向に薄い板状部材でなる筐体左側板３１（図１（Ｂ））の一部であり、その左面であるスロット左内側面４１Ｓが平面状に形成されている。他の観点から見ると、第１横側面としてのスロット左内側面４１Ｓは、装填空間８Ｓの横側に位置する複数の横側面のうち、該装填空間８Ｓの左側において前後方向と平行な平面となっている。またスロット左側板４１のうち最も後側に位置するスロット左側板後端部４１Ｅは、上下方向に沿った直線状の辺を形成している。
【００３９】
第２横側部としてのスロット右側板４２は、左右方向に薄い板状部材でなる筐体右側板３２（図１（Ｂ））の一部であり、概ねスロット左側板４１と左右対称に構成され、その右面であり第２横側面としてのスロット右内側面４２Ｓが平面状に形成されている。すなわちスロット左内側面４１Ｓ及びスロット右内側面４２Ｓは、装填空間８Ｓを間に挟んで互いに対向している。またスロット右側板４２のうち最も後側に位置するスロット右側板後端部４２Ｅは、上下方向に沿った直線状の辺を形成している。
【００４０】
さらにスロット右側板後端部４２Ｅは、スロット左側板後端部４１Ｅよりも所定の距離Ｌ１だけ前側に位置している。換言すれば、スロット右側板４２は、スロット左側板４１よりも距離Ｌ１だけ短く構成されており、前後方向に関して前端の位置を該スロット左側板４１と揃える一方、後端であるスロット右側板後端部４２Ｅの位置をスロット左側板後端部４１Ｅの位置と相違させている。説明の都合上、以下ではスロット左側板後端部４１Ｅ及びスロット右側板後端部４２Ｅを取出側端部とも呼ぶ。
【００４１】
下側部としてのスロット下側板４４は、上下方向に薄い板状に構成された筐体仕切板３６Ｂ（図１（Ｂ））であり、その上面であるスロット下内側面４４Ｓが平坦に形成されている。このスロット下側板４４は、後端部分における左端及び右端の位置を、それぞれスロット左側板後端部４１Ｅ及びスロット右側板後端部４２Ｅと揃えており、上側から見て左辺よりも右辺が短い台形状に形成されている。
【００４２】
換言すれば、スロット下側板４４の後端部分は、スロット左側板後端部４１Ｅ及びスロット右側板後端部４２Ｅを結ぶようにして、左右方向に対し傾斜した傾斜辺を形成している。また他の観点から見れば、スロット下側板４４は、その後端近傍の一部分を、スロット右側板後端部４２Ｅよりも後側に突出させている。説明の都合上、以下ではこの突出した部分（図中斜線で示す）を後突出部４４Ｐとも呼ぶ。
【００４３】
上側部としてのスロット上側板４３は、上下方向に薄い板状に構成された筐体仕切板３６Ａ（図１（Ｂ））であり、スロット下側板４４と上下対称に構成され、その下面であるスロット上内側面４３Ｓが平坦に形成されている。すなわちスロット上側板４３の後端部分は、スロット下側板４４の後端部分と同様、スロット左側板後端部４１Ｅ及びスロット右側板後端部４２Ｅを結ぶようにして、左右方向に対し傾斜した傾斜辺を形成している。
【００４４】
ところで紙幣収納スロット８では、装填空間８Ｓにおける左右方向の長さ、すなわちスロット左内側面４１Ｓ及びスロット右内側面４２Ｓの間隔が、紙幣収納カセット１１における左右方向の長さよりも長くなっている。また紙幣収納スロット８では、装填空間８Ｓにおける上下方向の長さ、すなわちスロット上内側面４３Ｓ及びスロット下内側面４４Ｓの間隔が、紙幣収納カセット１１における上下方向の長さよりも長くなっている。
【００４５】
このため装填機構９では、仮に紙幣収納カセット１１が装填空間８Ｓの真後ろに位置していれば、該紙幣収納カセット１１が前方へ進行されることにより、紙幣収納スロット８に対し正常に装填される。
【００４６】
ここで装填機構９では、紙幣収納カセット１１が装填空間８Ｓの真後ろに位置する場合、カセット左側面１１ＳＬがスロット左内側面４１Ｓよりも右側に位置し、且つカセット右側面１１ＳＲがスロット右内側面４２Ｓよりも左側に位置している。さらにこの場合、装填機構９では、カセット上側面１１ＳＴがスロット上内側面４３Ｓよりも下側に位置し、且つカセット下側面１１ＳＢがスロット下内側面４４Ｓよりも上側に位置している。
【００４７】
因みに紙幣収納スロット８Ｂ（図１（Ｂ））では、筐体左側板３１及び筐体右側板３２における紙幣収納スロット８Ａの場合と異なる部分がそれぞれスロット左側板４１及びスロット右側板４２となり、筐体仕切板３６Ｂがスロット上側板４３となり、筐体仕切板３６Ｃがスロット下側板４４となる。すなわち筐体仕切板３６は、その上側に位置する紙幣収納スロット８のスロット下側板４４と、その下側に位置する紙幣収納スロット８のスロット上側板４３との双方を兼ねている。
【００４８】
［１−３．装填機構における紙幣収納カセットの装填］
次に、装填機構９における装填作業、すなわち作業員等により紙幣収納スロット８に対し紙幣収納カセット１１が装填される場合の作業について説明する。装填機構９では、紙幣収納スロット８の後側において、作業員等により紙幣収納カセット１１が持ち上げられ、図３（Ａ）及び（Ｂ）に示したように、装填空間８Ｓの後側に該紙幣収納カセット１１が位置する状態となる。
【００４９】
ここで、実際に作業員等により紙幣収納カセット１１が持ち上げられている場合、該紙幣収納カセット１１は、装填空間８Ｓの真後ろ（図３（Ａ）及び（Ｂ））から外れた箇所に持ち上げられている場合がある。ここでは、図４（Ａ）及び（Ｂ）に示すように、紙幣収納カセット１１が装填空間８Ｓの真後ろから右下側にずれた箇所に持ち上げられていた場合を想定する。
【００５０】
この場合、カセット第２横側面としてのカセット右側面１１ＳＲがスロット右内側面４２Ｓよりも右側に位置しており、且つカセット下側面１１ＳＢがスロット下内側面４４Ｓよりも下側に位置している。このため装填機構９では、仮に作業員等によって紙幣収納カセット１１がこの位置から前方へ移動されたとしても、カセット前側面１１ＳＦがスロット下側板４４の前端部に当接するため、該紙幣収納カセット１１を装填空間８Ｓ内に装填することができない。
【００５１】
まず紙幣収納カセット１１は、作業員等によって後側が持ち上げられることにより、図５（Ａ）及び（Ｂ）に示すように、カセット下側面１１ＳＢの前端、すなわちカセット前側面１１ＳＦの下端がスロット下内側面４４Ｓよりも上側に位置し、且つスロット上内側面４３Ｓよりも下側に位置する姿勢となる。このとき、カセット前側面１１ＳＦにおける左下端の頂点であるカセット前左下端１１ＦＬＢは、左右方向に関してスロット左内側面４１Ｓ及びスロット右内側面４２Ｓの間に位置し、且つ上下方向に関してスロット上内側面４３Ｓ及びスロット下内側面４４Ｓの間に位置している。
【００５２】
次に紙幣収納カセット１１は、作業員等によって前方向へ移動され、図６（Ａ）及び（Ｂ）に示すように、左下の稜線部分、すなわちカセット下側面１１ＳＢの左端部分をスロット下側板４４の前端部分と当接させた段階で静止する。このとき紙幣収納カセット１１は、カセット前左下端１１ＦＬＢをスロット下側板４４の前端部分よりも後側に到達させ、該スロット下側板４４及びスロット上側板４３の間に入り込ませる。
【００５３】
これにより装填機構９では、紙幣収納カセット１１の前側部分がスロット下側板４４の上側に載置された状態となり、作業員等に該紙幣収納カセット１１の前側部分を持ち上げる必要が無くなる。換言すれば、このとき装填機構９では、該紙幣収納カセット１１における重量の一部分が該スロット下側板４４により支持されるため、作業員等が支持すべき紙幣収納カセット１１の重量が軽減されることになる。
【００５４】
またこれを他の観点から見ると、装填機構９では、カセット前側面１１ＳＦの一部がスロット右側板４２の真後ろにあるにも拘わらず、スロット下側板４４に後突出部４４Ｐが設けられているために、紙幣収納カセット１１における左側の一部分を該後突出部４４Ｐに載置することができる。このときカセット前左下端１１ＦＬＢは、スロット左側板後端部４１Ｅよりも前側に到達している。
【００５５】
次に紙幣収納カセット１１は、作業員等によって左方向へ移動され、図７（Ａ）及び（Ｂ）に示すように、カセット第１横側面としてのカセット左側面１１ＳＬをスロット左内側面４１Ｓに当接させた段階で静止する。このとき装填機構９では、作業員等によって紙幣収納カセット１１に対し左方向へ向けた力の印加を開始させて左方向への移動を開始させた後、カセット左側面１１ＳＬがスロット左内側面４１Ｓに当接し、該紙幣収納カセット１１を左方向へ移動できなくなった段階で、この力の印加を停止させれば良い。すなわち装填機構９では、既にカセット前左下端１１ＦＬＢがスロット左側板後端部４１Ｅよりも前側に位置していたため（図６）、スロット左内側面４１Ｓをあたかもストッパとして機能させることができる。
【００５６】
この結果、装填機構９では、図７（Ａ）に示したように、カセット右側面１１ＳＲがスロット右内側面４２Ｓよりも左側に位置する。すなわち装填機構９では、左右方向に関して、紙幣収納カセット１１が紙幣収納スロット８における装填空間８Ｓの範囲内に収まったことになる。
【００５７】
さらに紙幣収納カセット１１は、作業員等によって後側部分が上方へ持ち上げられることにより、図８（Ａ）及び（Ｂ）に示すように、紙幣収納スロット８に対する左右方向の位置を保ったまま、カセット上側面１１ＳＴ及びカセット下側面１１ＳＢをほぼ水平に向けた姿勢となる。これによりカセット下側面１１ＳＢは、概ねスロット下内側面４４Ｓよりも上側に位置する。
【００５８】
引き続き装填機構９では、作業員等によって紙幣収納カセット１１に対し前方向へ力が加えられると、該紙幣収納カセット１１を紙幣収納スロット８の装填空間８Ｓ内で前方へ進行させ、やがて図１（Ａ）及び図２に示したように、該装填空間８Ｓ内に完全に装填された状態となり、装填作業が完了する。
【００５９】
［１−４．効果等］
以上の構成において、第１の実施の形態による紙幣出金機１の紙幣収納スロット８は、スロット左側板４１のスロット左側板後端部４１Ｅよりもスロット右側板４２のスロット右側板後端部４２Ｅを前側に位置させ、且つスロット下側板４４の後端に該スロット右側板後端部４２Ｅよりも後方へ突出した後突出部４４Ｐを形成した（図３）。
【００６０】
ここで、紙幣収納スロット８との比較用に、仮想的な紙幣収納スロット５０８を図３と対応する図９（Ａ）及び（Ｂ）に示す。紙幣収納スロット５０８は、スロット右側板５４２の後端であるスロット右側板後端部５４２Ｅの前後方向に関する位置が、スロット左側板後端部４１Ｅと同等に揃えられている。また紙幣収納スロット５０８は、スロット上側板５４３及びスロット下側板５４４の後端部分が左右方向に沿って形成されており、スロット右側板後端部５４２Ｅよりも後方へ突出した部分（すなわち後突出部４４Ｐに相当する部分）が形成されていない。
【００６１】
また、この仮想的な紙幣収納スロット５０８及び紙幣収納カセット１１を組み合わせることにより、仮想的な装填機構５０９を想定する。この装填機構５０９では、装填作業において、図６に示したよう紙幣収納カセット１１が装填空間５０８Ｓの範囲から右方向へずれていた場合、該紙幣収納カセット１１を前方向へ移動させると、カセット前側面１１ＳＦをスロット右側板後端部５４２Ｅ等に当接させることになる。この場合、装填機構５０９では、紙幣収納カセット１１の前側部分をスロット下側板５４４に載せることができない。
【００６２】
すなわち装填機構５０９では、紙幣収納カセット１１の前端部分を持ち上げてカセット前側面１１ＳＦの下端をスロット下内側面５４４Ｓよりも持ち上げた上で（図５）、カセット左側面１１ＳＬをスロット左内側面４１Ｓよりも右側に位置させ、さらにカセット右側面１１ＳＲをスロット右内側面５４２Ｓよりも左側に位置させる必要がある。このため装填機構５０９では、作業員等に対し、比較的重量が大きい紙幣収納カセット１１の全重量を支持させたまま、紙幣収納スロット５０８に対し、該紙幣収納カセット１１の上下方向及び左右方向に関する位置を精度良く合わせる、といった困難な作業を強いてしまう。
【００６３】
これに対し、第１の実施の形態による装填機構９では、スロット左側板後端部４１Ｅよりもスロット右側板後端部４２Ｅを前側に位置させ、且つスロット下側板４４の後端に該スロット右側板後端部４２Ｅよりも後方へ突出した後突出部４４Ｐを形成した（図３）。
【００６４】
このため装填機構９では、図５に示した状態から、作業員等に対し紙幣収納カセット１１の左右方向に関する位置を微調整させること無く単純に前方向へ移動させるだけで、該紙幣収納カセット１１の前端部分をスロット下側板４４の後突出部４４Ｐに載せることができる。また装填機構９では、これにより紙幣収納カセット１１の前端部分が後突出部４４Ｐにより支持されるため、作業員等に紙幣収納カセット１１の全荷重のうち一部のみを支持させれば良くなり、該作業員等の負担を大幅に軽減することができる。
【００６５】
これを換言すれば、装填機構９では、作業員等に対し、紙幣収納カセット１１の全荷重を支えた状態において、カセット前側面１１ＳＦの下端をスロット下内側面４４Ｓよりもある程度上側に位置させ、且つカセット前左下端１１ＦＬＢをスロット左内側面４１Ｓよりもある程度右側に位置させれば良く、高精度な位置調整を行わせる必要が無い。
【００６６】
また装填機構９では、紙幣収納カセット１１のカセット下側面１１ＳＢ又はその左端部分を後突出部４４Ｐの後辺部分に載せた後、再び持ち上げさせること無く左方向へ摺動させれば良いため、該紙幣収納カセット１１の前側部分における上下方向の位置を維持するための力を加えさせる必要も無い。
【００６７】
さらに装填機構９では、スロット下側板４４の後突出部４４Ｐよりも後側にスロット左側板後端部４１Ｅが位置しているため、図６の状態において、作業員等に紙幣収納カセット１１の後端部分を支持させたまま左方向へ移動させ、カセット左側面１１ＳＬがスロット左内側面４１Ｓに当接した段階で静止させれば良い（図７）。
【００６８】
すなわち装填機構９では、スロット左内側面４１Ｓをストッパと同様に機能させることにより、紙幣収納カセット１１が紙幣収納スロット８の左側へ落下する恐れが無いため、作業員等に対し、紙幣収納カセット１１に対する左方向への力の印加を停止すべきタイミングに注意させる必要が無い。
【００６９】
このように装填機構９では、仮想的な装填機構５０９と比較して、装填作業において作業員等が紙幣収納カセット１１の全荷重を支えたまま行うべき位置調整を大幅に簡略化でき、且つその前端部分を後突出部４４Ｐに載せた状態で行う左方向への位置調整作業も簡略化できるので、該作業員等の作業負担を格段に軽減することができる。
【００７０】
また装填機構９では、紙幣収納スロット８から紙幣収納カセット１１が取り出される場合に、該紙幣収納カセット１１の前端部分が左側においてスロット下側板４４の後端から落下するよりも前に、右側部分において該前端部分がスロット右側板後端部４２Ｅよりも後側に到達する。このため装填機構９では、作業員等に対し、紙幣収納スロット８から紙幣収納カセット１１を取り出す作業中に、スロット上側板４３の右端近傍に注目させることにより、紙幣収納カセット１１の前端部分がスロット右側板後端部４２Ｅよりも後側に到達した段階で、間もなく装填空間８Ｓから完全に抜け出ることを認識させることができる。
【００７１】
装填機構９では、右側において紙幣収納カセット１１の前端部分がスロット右側板後端部４２Ｅよりも後側に到達した時点では、左側部分において該前端部分が後突出部４４Ｐに載っておりその荷重の一部がまだ支えられている（図８）。このため装填機構９では、この状態において、作業員等に対し、紙幣収納カセット１１のカセット下側面１１ＳＢにおける前側部分を一方の手で支える等、該紙幣収納カセット１１の前端部分の落下を防止するための必要な措置を講じさせることができる。
【００７２】
すなわち装填機構９では、作業員等が気付かないうちに紙幣収納カセット１１の前端部分をスロット下側板４４の後端から落下してしまうことを回避でき、また紙幣収納カセット１１の後方への移動中に、作業員等にこのような落下に常時備えさせる必要も無い。
【００７３】
以上の構成によれば、第１の実施の形態による紙幣出金機１の紙幣収納スロット８は、スロット左側板後端部４１Ｅよりもスロット右側板後端部４２Ｅを前側に位置させ、且つスロット下側板４４の後端に該スロット右側板後端部４２Ｅよりも後方へ突出した後突出部４４Ｐを形成した（図３）。これにより装填機構９では、作業員等に対し、紙幣収納カセット１１の前端部分をスロット下内側面４４Ｓよりも持ち上げさせ（図５）、左右方向に位置を調整させること無く前方向へ移動させるだけでスロット下側板４４の後突出部４４Ｐに載せることができる（図６）。さらに装填機構９では、作業員等に対し、スロット左側板４１に当接するまで左方向へ移動させるだけで、左右方向の位置を装填空間８Ｓに合わせることができるため（図７）、装填作業を容易に行わせることができる。
【００７４】
［２．第２の実施の形態］
図１（Ｂ）と対応する図１０に示すように、第２の実施の形態による紙幣出金機１０１は、第１の実施の形態による紙幣出金機１と比較して、下側の収納ユニット２に代わる収納ユニット１０２を有する点において相違するものの、上側の束搬送ユニット３については同様に構成されている。
【００７５】
収納ユニット１０２は、第１の実施の形態による収納ユニット２と比較して、収納筐体６に代わる収納筐体１０６を有する点において相違するものの、紙幣収納カセット１１等の他の部分については同様に構成されている。収納筐体１０６は、第１の実施の形態による収納筐体６と比較して、筐体右側板３２の後端部分に筐体右後案内板１３８が延設されている点、及び紙幣収納スロット８（８Ａ、８Ｂ、８Ｃ及び８Ｄ）に代わる紙幣収納スロット１０８Ａ、１０８Ｂ、１０８Ｃ及び１０８Ｄを有する点において相違するものの、他の点については同様に構成されている。
【００７６】
案内部としての筐体右後案内板１３８は、上下方向及び左右方向の長さが筐体右側板３２と同等であり前後方向に短い板状に形成されている。また筐体右後案内板１３８は、その前端が筐体右側板３２の後端部分に連接されており、その後端が前端よりも右側に位置するよう、その左右の側面を該筐体右側板３２における左右の側面に対しそれぞれ傾斜させている。
【００７７】
これに伴い紙幣収納スロット１０８では、図８（Ａ）と対応する図１１に示すように、スロット右側板４２の後端であるスロット右側板後端部４２Ｅから後右方向に向けて、筐体右後案内板１３８に相当するスロット右後案内板１４８が延設されている。
【００７８】
かかる構成により、紙幣収納スロット１０８及び紙幣収納カセット１１の組合せでなる装填機構１０９では、装填作業において、図４〜図８に示した場合と同様の作業過程を経て、紙幣収納カセット１１の前端部分がスロット下側板４４に後突出部４４Ｐに載せられ、且つカセット左側面１１ＳＬをスロット左内側面４１Ｓに当接させた状態となる。
【００７９】
このとき装填機構１０９では、紙幣収納カセット１１の後側が作業員等により支持された状態であるため、前側に対して後側を真後ろに位置させているとは限らず、上下方向や左右方向へある程度ずれている場合がある。このため図１１に示したように、紙幣収納カセット１１の後端側が前端側に対して左側に位置しており、スロット左内側面４１Ｓに対するカセット左側面１１ＳＬの傾斜角度が比較的大きくなる場合も考えられる。
【００８０】
この図１１の場合、装填機構１０９では、カセット左側面１１ＳＬがスロット左側板後端部４１Ｅに当接したときに、カセット右側面１１ＳＲの前端部分、すなわちカセット前側面１１ＳＦの右端部分がスロット右内側面４２Ｓよりも右側に位置している。換言すれば、カセット前側面１１ＳＦの一部が、スロット右側板後端部４２Ｅの真後ろに位置している。
【００８１】
このため、仮に第１の実施の形態による装填機構９（図８）において、紙幣収納カセット１１が図１１のような状態であった場合には、紙幣収納カセット１１をそのまま前方向へ進行させると、カセット前側面１１ＳＦの一部がスロット右側板後端部４２Ｅに衝突し、装填空間８Ｓに対し正しく装填できない恐れがあった。
【００８２】
これに対し第２の実施の形態による装填機構１０９では、スロット右側板後端部４２Ｅから右後方へ向けてスロット右後案内板１４８が延設されている。このため装填機構１０９では、紙幣収納カセット１１を前方向へ進行させていった場合、カセット前側面１１ＳＦの右端部分を該スロット右後案内板１４８の左側面に当接させ、そのまま摺動させることにより、スロット右内側面４２Ｓよりも左側へ案内すること、すなわち装填空間８Ｓ内へ導くことができる。
【００８３】
その他の点においても、第２の実施の形態による装填機構１０９では、第１の実施の形態と同様の作用効果を奏し得る。
【００８４】
以上の構成によれば、第２の実施の形態による紙幣出金機１０１の装填機構１０９は、スロット右側板後端部４２Ｅから右後方へ向けてスロット右後案内板１４８を延設した。これにより装填機構１０９では、カセット前側面１１ＳＦの右端部分がスロット右内側面４２Ｓよりも右側に位置した状態で紙幣収納カセット１１を前方へ進行させたとしても、カセット前側面１１ＳＦの右端部分をスロット右後案内板１４８に沿って摺動させることにより、スロット右内側面４２Ｓよりも左側に到達させることができる。この結果、装填機構１０９は、紙幣収納カセット１１を装填空間８Ｓ内に装填させることができる。
【００８５】
［３．第３の実施の形態］
第３の実施の形態による紙幣出金機２０１（図２）は、第１の実施の形態による紙幣出金機１と比較して、下側の収納ユニット２に代わる収納ユニット２０２を有する点において相違するものの、上側の束搬送ユニット３については同様に構成されている。
【００８６】
収納ユニット２０２は、第１の実施の形態による収納ユニット２と比較して、紙幣収納スロット８及び紙幣収納カセット１１に代わる紙幣収納スロット２０８及び紙幣収納カセット２１１を有する点において相違するものの、他の部分については同様に構成されている。
【００８７】
［３−１．紙幣収納スロットの構成］
紙幣収納スロット２０８は、図３（Ａ）と対応する図１２に示すように、紙幣収納スロット８と比較して、スロット左側板４１に代わるスロット左側板２４１を有する点及びロックレバー２５０を有する点において相違するものの、他の点については同様に構成されている。
【００８８】
スロット左側板２４１は、第１の実施の形態によるスロット左側板４１と比較して、ロックレバー２５０との干渉を回避するための孔部等（図示せず）が適宜穿設されている点において相違する。その一方でスロット左側板２４１は、スロット左側板後端部２４１Ｅ及びスロット左内側面２４１Ｓがスロット左側板後端部４１Ｅ及びスロット左内側面４１Ｓとそれぞれ同様に構成されている。
【００８９】
ロックレバー２５０は、全体として前後方向に長く左右方向に薄い板状に構成されており、複数箇所においてクランク状に屈曲されている。このロックレバー２５０は、所定の樹脂材料が成型されることによって構成されており、弾性変形し得るようになっている。
【００９０】
ロックレバー２５０には、前側から順に、固定部２５１、屈曲部２５２、係合部２５３、傾斜部２５４及び操作部２５５が設けられている。ロックレバー２５０の前端部分を占める固定部２５１は、左右方向に薄い平板状に形成され、スロット左側板２４１の左側面に取り付けられている。
【００９１】
固定部２５１の後側に連接された屈曲部２５２は、固定部２５１との連接部分において前後方向に沿っているものの、後方向へ進むに連れて右方向へ湾曲され、前端近傍においてほぼ左右方向に沿っている。また屈曲部２５２は、スロット左側板２４１に穿設された孔部に挿通されており、その前端部分をスロット左内側面２４１Ｓよりも右側、すなわち装填空間８Ｓ内に到達させている。
【００９２】
係合部２５３は、前後方向に沿った平板状に形成されており、屈曲部２５２の前端に対し後方へ向けて連接されることにより、スロット左内側面２４１Ｓよりも右側に位置している。すなわち屈曲部２５２及び係合部２５３の連接部分は、平板状の部材が約９０度の角度で折り曲げられたような形状となっている。
【００９３】
傾斜部２５４は、係合部２５３等と同様に平板状に形成されており、係合部２５３の後端に対し後斜め左方向へ向けて連接されている。操作部２５５は、傾斜部２５４の後端に対し後ろ斜め左方向へ向けて連接されており、その一部が左前方向へ突出するように湾曲されている。
【００９４】
かかる構成によりロックレバー２５０は、特に外力が加えられていない自然状態において、図１２に示したように係合部２５３をスロット左内側面２４１Ｓよりも右側であって、且つ該スロット左内側面２４１Ｓからやや離れた箇所に位置させている。
【００９５】
一方、紙幣収納カセット２１１は、第１の実施の形態による紙幣収納カセット１１と比較して、カセット左側面１１ＳＬに代わるカセット左側面２１１ＳＬを有する点において相違するものの、他の点については同様に構成されている。
【００９６】
カセット左側面２１１ＳＬは、第１の実施の形態におけるカセット左側面１１ＳＬと同様、全体的に平坦に構成されているものの、その後側における端部近傍及び前側における端部近傍に、装填係合孔Ｄ１及び取出係合孔Ｄ２がそれぞれ設けられている。
【００９７】
第１被係合部としての装填係合孔Ｄ１は、カセット左側面２１１ＳＬよりも右方向へ凹んだ孔状に形成されている。また装填係合孔Ｄ１は、後側の内側面が左右方向に沿っている一方、前側の内側面が左右方向に対し傾斜されている。すなわち装填係合孔Ｄ１は、ロックレバー２５０のうちスロット左内側面２４１Ｓよりも右側に突出した部分、具体的には屈曲部２５２の前端近傍、係合部２５３及び傾斜部２５４の後端近傍と対応する形状に形成されている。第２被係合部としての取出係合孔Ｄ２は、装填係合孔Ｄ１と同様に構成されている。
【００９８】
［３−２．装填機構における紙幣収納カセットの装填及び取出］
かかる構成により、紙幣収納スロット２０８及び紙幣収納カセット２１１の組合せでなる装填機構２０９では、作業員等により第１の実施の形態と同様の装填作業（図４〜図８）が行われることにより、図１３（Ａ）に示すように、紙幣収納スロット２０８に紙幣収納カセット２１１が装填される。
【００９９】
このときロックレバー２５０は、係合部２５３及びその近傍部分を装填係合孔Ｄ１内に入り込ませることにより、該係合部２５３を装填係合孔Ｄ１と係合させる。これによりロックレバー２５０は、紙幣収納スロット２０８に対する紙幣収納カセット２１１の後方への移動を規制し、該紙幣収納カセット２１１を装填空間８Ｓ内に装填された状態に保持（ロック）する。
【０１００】
一方、装填機構２０９では、装填されている紙幣収納カセット２１１が取り出される場合、まず作業員等によってロックレバー２５０の操作部２５５に対し左方向へ向かう力が加えられることにより、該ロックレバー２５０の屈曲部２５２が変形して係合部２５３等を装填係合孔Ｄ１の外側に位置させる。これにより装填機構２０９では、ロックレバー２５０による紙幣収納カセット２１１のロックが解除され、該紙幣収納カセット２１１を後方へ移動させ得る状態となる。
【０１０１】
続いて装填機構２０９では、作業員等によりロックレバー２５０の操作部２５５に対する力が加えられ、係合部２５３等が装填係合孔Ｄ１の外側に位置する状態のまま、紙幣収納カセット２１１に対し取手１１Ｈ等を介して後方向へ力が加えられる。これにより装填機構２０９では、図１３（Ｂ）に示すように、紙幣収納スロット２０８の装填空間８Ｓから紙幣収納カセット２１１が徐々に引き出されていく。
【０１０２】
因みに装填機構２０９では、装填係合孔Ｄ１が係合部２５３等よりも後側に到達した段階で、作業員等によるロックレバー２５０の操作部２５５に加えられていた力が解放される。これによりロックレバー２５０は、屈曲部２５２が自然状態（図１２）に戻ろうとして弾性力を作用させ、係合部２５３を紙幣収納カセット２１１のカセット左側面２１１ＳＬに当接させる。このためロックレバー２５０は、紙幣収納カセット２１１が後方向へ引き出される間、屈曲部２５２により係合部２５３を右方向、すなわちカセット左側面２１１ＳＬに押し付けるような力を作用させ続け、該係合部２５３をカセット左側面２１１ＳＬに摺動させる。
【０１０３】
やがて装填機構２０９では、図１３（Ｃ）に示すように、紙幣収納カセット２１１の前端部分がスロット右側板後端部４２Ｅよりも後側に到達し、且つ該紙幣収納カセット２１１の左側部分がスロット下側板４４の後突出部４４Ｐにより支持された状態となる。さらにこのとき装填機構２０９では、ロックレバー２５０の屈曲部２５２が作用させる弾性力によって係合部２５３が取出係合孔Ｄ２内に入り込むことにより、紙幣収納カセット２１１の後方向への移動を規制する。
【０１０４】
続いて装填機構２０９では、図１３（Ｄ）に示すように、作業員等によって紙幣収納カセット２１１に対し右方向へ向かう力が加えられることにより、係合部２５３が取出係合孔Ｄ２の外側に位置し、該紙幣収納カセット２１１の後方向への移動が可能となる。かくして装填機構２０９では、紙幣収納スロット２０８から紙幣収納カセット２１１が取り出される。
【０１０５】
［３−３．効果等］
以上の構成において、第３の実施の形態による紙幣出金機２０１の装填機構２０９は、紙幣収納スロット２０８のスロット左側板２４１にロックレバー２５０を設けると共に、紙幣収納カセット２１１のカセット左側面２１１ＳＬにおける後端近傍に装填係合孔Ｄ１を形成し、さらに前端近傍に取出係合孔Ｄ２を設けた（図１２）。
【０１０６】
装填機構２０９では、紙幣収納スロット２０８に紙幣収納カセット２１１が装填されている場合、ロックレバー２５０の係合部２５３を装填係合孔Ｄ１に入り込ませることにより、該紙幣収納カセット２１１を装填された状態に保持する（図１３（Ａ））。
【０１０７】
また装填機構２０９では、紙幣収納スロット２０８から紙幣収納カセット２１１が取り出される場合、該紙幣収納カセット２１１の前端がスロット右側板後端部４２Ｅよりも後ろ側に到達し、且つその左側部分がスロット下側板４４の後突出部４４Ｐに載っている段階で、ロックレバー２５０の係合部２５３を取出係合孔Ｄ２に入り込ませる（図１３（Ｃ））。
【０１０８】
すなわち装填機構２０９では、紙幣収納カセット２１１が作業員等により後方向へ引き出されている場合に、その前端側がスロット下側板４４の後端から落下する直前に停止させることができる。これにより装填機構２０９では、例えば作業員等に紙幣収納カセット２１１におけるカセット下側面１１ＳＢの前側部分を支持させる等、該紙幣収納カセット２１１の前側部分がスロット下側板４４に支持されなくなることに対する適切な準備を行わせることができる。
【０１０９】
これにより装填機構２０９では、作業員等が気付かないうちに紙幣収納カセット２１１の前端がスロット下側板４４の後端から突然落下することによる、他の部品等との衝突やこれに伴う破損を未然に防止できる。また装填機構２０９では、作業員等に紙幣収納カセット２１１の前端がスロット下側板４４の後端に到達したか否かについて、該紙幣収納カセット２１１を引き出しながら注意させる必要も無い。
【０１１０】
さらに装填機構２０９では、紙幣収納カセット２１１が紙幣収納スロット２０８に装填された状態を保持する目的で設けられたロックレバー２５０を、取出作業において紙幣収納カセット２１１を停止させる目的でも利用するようにした。このため装填機構２０９では、紙幣収納カセット２１１に取出係合孔Ｄ２を追加するだけで良く、取出作業において紙幣収納カセット２１１を停止させるための専用の係合部品等を設ける必要が無い。
【０１１１】
そのうえ装填機構２０９では、ロックレバー２５０をスロット左側板２４１に設けると共に、カセット左側面２１１ＳＬにおける前端近傍に取出係合孔Ｄ２を設けた。これにより装填機構２０９では、紙幣収納カセット２１１の前端がスロット右側板後端部４２Ｅよりも後側まで引き出されてから、ロックレバー２５０の係合部２５３を取出係合孔Ｄ２に係合させることができる。
【０１１２】
これにより装填機構２０９では、ロックレバー２５０と取出係合孔Ｄ２との係合を解除する場合に、作業員等に対し、カセット右側面１１ＳＲがスロット右内側面４２Ｓよりも右側に到達する程度まで紙幣収納カセット２１１を右方向へ移動させれば良く、該ロックレバー２５０の操作部２５５を敢えて操作させる必要が無い。
【０１１３】
その他の点においても、第３の実施の形態による装填機構２０９は、第１の実施の形態による装填機構９と同様の作用効果を奏し得る。
【０１１４】
以上の構成によれば、第３の実施の形態による紙幣出金機２０１の装填機構２０９は、紙幣収納スロット２０８から紙幣収納カセット２１１が取り出される場合に、該紙幣収納カセット２１１の前端がスロット下側板４４に載っている段階で、ロックレバー２５０の係合部２５３を取出係合孔Ｄ２と係合させ、後方向への移動を一時停止させるようにした。これにより装填機構２０９は、作業員等が何ら準備をしていない状態で紙幣収納カセット２１１の前端部分がスロット下側板４４から突然落下することを防止し、円滑な取出作業を行わせることができる。
【０１１５】
［４．他の実施の形態］
なお上述した第１の実施の形態においては、紙幣収納スロット８のスロット左側板後端部４１Ｅよりもスロット右側板後端部４２Ｅを前側に位置させる場合について述べた（図３）。しかしながら本発明はこれに限らず、例えばスロット右側板後端部４２Ｅよりもスロット左側板後端部４１Ｅを前側に、すなわち紙幣収納スロット８を左右反転させたような構成にしても良い。第２及び第３の実施の形態についても同様である。
【０１１６】
また上述した第１の実施の形態においては、スロット下側板４４の後端部分をスロット左側板後端部４１Ｅ及びスロット右側板後端部４２Ｅを結ぶような直線状とする場合について述べた（図３）。しかしながら本発明はこれに限らず、例えば図１４（Ａ）に示す紙幣収納スロット３０８のように、スロット下側板３４４の後端部分を湾曲させても良く、或いは図１４（Ｂ）に示す紙幣収納スロット４０８のようにスロット下側板４４４のスロット左側板後端部４１Ｅと同等の位置まで一様に延長させる等、種々の形状としても良い。要は、スロット下側板４４の少なくとも一部分がスロット右側板後端部４２Ｅよりも後側へ延長されていれば良い。また、スロット上側板４３及びスロット下側板４４の形状を互いに相違させても良い。第２及び第３の実施の形態についても同様である。
【０１１７】
さらに上述した第１の実施の形態においては、紙幣収納スロット８Ａ〜８Ｄを何れも同等の構成とする場合について述べた（図１）。しかしながら本発明はこれに限らず、例えば紙幣収納スロット８Ｃを紙幣収納スロット８Ａと同様に構成する一方、紙幣収納スロット８Ｂ及び８Ｄを該紙幣収納スロット８Ａと左右対称に構成する等、紙幣収納スロット８を上下方向に隣接する紙幣収納スロット８と異なる構成としても良い。或いは、例えばより下側に位置する筐体仕切板３６をより後方へ延長させる等、筐体仕切板３６Ａ〜３６Ｄ（図１）における後端部分の位置を互いに相違させても良い。第２及び第３の実施の形態についても同様である。
【０１１８】
さらに上述した第１の実施の形態においては、収納筐体６（図１）を筐体左側板３１、筐体右側板３２、筐体上側板３３、筐体下側板３４、筐体前側板３５及び４枚の筐体仕切板３６によって構成することにより、４個の紙幣収納スロット８を上下方向に沿って互いに連結された状態で構成する場合について述べた。しかしながら本発明はこれに限らず、例えばそれぞれ単独の部品でなるスロット左側板４１、スロット右側板４２、スロット上側板４３、スロット下側板４４及びスロット前側板４５を組み合わせることにより１個の紙幣収納スロット８を構成し、これを上下方向に複数並べるようにしても良い。第２及び第３の実施の形態についても同様である。
【０１１９】
さらに上述した第１の実施の形態においては、装填機構９における装填作業において、作業員等に紙幣収納カセット１１の前側部分を持ち上げさせ（図５）、スロット下側板４４の後突出部４４Ｐに載せ（図６）、左方向へ移動させてから（図７）、後端部分を持ち上げさせる場合について述べた（図８）。しかしながら本発明はこれに限らず、例えば図６に示した状態において、図１５に示すように紙幣収納カセット１１の後端部分を持ち上げた状態に遷移させてから、左方向へ移動させて図８の状態に遷移させるようにしても良い。第２及び第３の実施の形態についても同様である。
【０１２０】
さらに上述した第３の実施の形態においては、紙幣収納カセット２１１の前端がスロット右側板後端部４２Ｅよりも後方まで引き出された段階で、ロックレバー２５０の係合部２５３を取出係合孔Ｄ２と係合させる場合について述べた（図１３（Ｃ））。しかしながら本発明はこれに限らず、例えば紙幣収納カセット２１１の前端がスロット右側板後端部４２Ｅよりも前側に位置している段階で、ロックレバー２５０の係合部２５３を取出係合孔Ｄ２と係合させるようにしても良い。この場合、作業員等にロックレバー２５０の操作部２５５を操作させて係合を解除させるようにすれば良い。またこの場合、ロックレバー２５０をスロット右側板４２に設けるようにしても良い。
【０１２１】
さらに上述した第３の実施の形態においては、ロックレバー２５０（図１２）を樹脂材料により構成し、屈曲部２５２弾性変形させることにより係合部２５３に弾性力を作用させる場合について述べた。しかしながら本発明はこれに限らず、例えば複数の金属部品やスプリング等の組合せによりロックレバーを構成しても良い。この場合、スプリングを作用させることにより係合部２５３に相当する部品を右方向へ付勢できれば良い。
【０１２２】
さらに上述した第１の実施の形態においては、紙幣収納スロット８の後側を開放し、作業員等によって該紙幣収納スロット８に対し紙幣収納カセット１１を前方向へ移動させることにより装填させ、また該紙幣収納カセット１１を後方向へ移動させることにより取り出させる場合について述べた。しかしながら本発明はこれに限らず、例えば紙幣収納スロット８における前側や右側等、横方向のうち何れかを開放させ、この開放された部分を介して紙幣収納カセット１１を装填させ、或いは取り出させるようにしても良い。第２及び第３の実施の形態についても同様である。
【０１２３】
さらに上述した第１の実施の形態においては、４個の紙幣収納スロット８を上下方向に沿って配置し、その上側にリジェクトスロット７を配置する場合について述べた（図１）。しかしながら本発明はこれに限らず、例えば３個以下又は５個以上の紙幣収納スロット８を上下方向に沿って配置しても良い。またリジェクトスロット７については、紙幣収納スロット８同士の間や最も下側の紙幣収納スロット８の下側に配置しても良く、或いは収納筐体６に固定されたリジェクト収納庫を設けることにより該リジェクトスロット７を省略しても良い。
【０１２４】
さらに上述した第１の実施の形態においては、紙幣収納スロット８及び紙幣収納カセット１１の組合せでなる装填機構９に本発明を適用する場合について述べた。しかしながら本発明はこれに限らず、例えばリジェクトスロット７及びリジェクトカセット１７の組合せでなる装填機構等、他の種々のスロット及びカセットの組合せでなる装填機構に適用しても良い。
【０１２５】
さらに上述した実施の形態においては、媒体としての紙幣を出金する出金取引を顧客との間で行う紙幣出金機１に本発明を適用する場合について述べた。しかしながら本発明はこれに限らず、例えば顧客との間で出金取引及び入金取引等を行う現金自動預払機等、紙幣を取り扱う他の種々の装置に適用しても良く、或いは例えば金券や証券、或いは商品券や入場券等、紙葉状の種々の媒体を取り扱う種々の装置に適用しても良い。
【０１２６】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１２７】
さらに上述した実施の形態においては、収納カセットとしての紙幣収納カセット１１と、収納スロットとしての紙幣収納スロット８とによって装填機構としての装填機構９を構成する場合について述べた。また収納スロットについては、上側部としてのスロット上側板４３と、下側部としてのスロット下側板４４と、第１横側部としてのスロット左側板４１と、第２横側部としてのスロット右側板４２とによって構成する場合について述べた。しかしながら本発明はこれに限らず、その他種々の構成でなる収納カセットと、収納スロットとによって装填機構を構成し、該収納スロットを、その他種々の構成でなる上側部と、下側部と、第１横側部と、第２横側部とによって構成しても良い。
【産業上の利用可能性】
【０１２８】
本発明は、例えば紙幣が収納された紙幣収納カセットが紙幣収納スロットに対し装脱可能に構成され、顧客の操作に応じて該紙幣収納カセットから紙幣を出金する紙幣出金機で利用できる。
【符号の説明】
【０１２９】
１、１０１、２０１……紙幣出金機、６、１０６……収納筐体、８、１０８、２０８……紙幣収納スロット、８Ｓ……装填空間、９、１０９、２０９……装填機構、１１、２１１……紙幣収納カセット、１１ＦＬＢ……カセット前左下端、１１ＳＢ……カセット下側面、１１ＳＦ……カセット前側面、１１ＳＬ、２１１ＳＬ……カセット左側面、１１ＳＲ……カセット右側面、１１ＳＴ……カセット上側面、３１……筐体左側板、３２……筐体右側板、３３……筐体上側板、３４……筐体下側板、３５……筐体前側板、３６……筐体仕切板、４１、２４１……スロット左側板、４１Ｅ、２４１Ｅ……スロット左側板後端部、４１Ｓ、２４１Ｓ……スロット左内側面、４２……スロット右側板、４２Ｅ……スロット右側板後端部、４２Ｓ……スロット右内側面、４３……スロット上側板、４３Ｓ……スロット上内側面、４４……スロット下側板、４４Ｓ……スロット下内側面、４４Ｐ……後突出部、４５……スロット前側板、１３８……筐体右後案内板、１４８……スロット右後案内板、２１１……紙幣収納カセット、２１１ＳＬ……カセット左側面、２５０……ロックレバー、２５３……係合部、Ｄ１……装填係合孔、Ｄ２……取出係合孔。
【図１】
2017187997.tif 000003
【図２】
2017187997.tif 000004
【図３】
2017187997.tif 000005
【図４】
2017187997.tif 000006
【図５】
2017187997.tif 000007
【図６】
2017187997.tif 000008
【図７】
2017187997.tif 000009
【図８】
2017187997.tif 000010
【図９】
2017187997.tif 000011
【図１０】
2017187997.tif 000012
【図１１】
2017187997.tif 000013
【図１２】
2017187997.tif 000014
【図１３】
2017187997.tif 000015
【図１４】
2017187997.tif 000016
【図１５】
2017187997.tif 000017